(57)【要約】【課題】歩車道の段差やわだちの凸部などの不要部分にうねりや凹凸があっても、平坦な面としての除去を容易にして経済的に且つ環境に悪影響を与えないように行なえるようにする。【解決手段】段差除去装置１の削刃取付部３に設けたレーザー照準ガイド７の中心点に除去部分４の長手方向と平行に半導体レーザー照準器１１からレーザー１１ａを照射し、常にレーザー１１ａがレーザー照準ガイド７の中心点に当っている状態を保ちながら段差除去装置１を移動して削刃取付部３に設けている削刃３ａにて研削するようにしたものである。【選択図】        図１
2004176518.tif 000002
【特許請求の範囲】
【請求項１】
段差除去装置の削刃取付部に設けたレーザー照準ガイドの中心点に除去部分の長手方向と平行に半導体レーザー照準器からレーザーを照射し、常にレーザーがレーザー照準ガイド７の中心点に当っている状態を保ちながら段差除去装置を移動して削刃取付部に設けている削刃にて研削するようにしたことを特徴とするレーザーによる歩車道不要部分削取施工方法。
【発明の詳細な説明】
【０００１】
【発明の属する技術分野】
本発明は建築部前や道路沿いの境界にによるブロックの段差や路面の凸部等の不要部分を無くして通り易くするために削取作業を行なう時、削取部分にうねりや凹凸が生じ無いようにレーザーによって削る位置を制御しながら削取作業が行なえるようにしたレーザーによる歩車道不要部分削取施工方法に関するものである。
【０００２】
【従来の技術】
現在我国では世界にも類のないスピードで高齢化が進んでおり、住宅や道路のバリアフリー化が急務になって来ている。
そのために特願平１３−４０２１７８及び特願平１４−１５８３１８を用いた方法にて歩車道不要部分削取作業が行なわれ、廃材を出さず工期を短縮して低コストで施工出来るなどの効果を上げている。
【０００３】
【発明が解決しようとする課題】
しかしこのような方法も削り取る不要部分の寸法を測定し、それに合わせて段差除去装置に取付けた削刃の角度を調整して行なうが、削刃の移動は車道の路肩付近を段差除去装置の移動にて行なわれる。
このため車道の路肩付近の表面にうねりや凹凸があると、段差除去装置で削刃を調節していてもそのうねりや凹凸に相対してうねりや凹凸をそのまま削り後に移して残してしまう。  又、削取部分にうねりや凹凸がある場合でも、段差除去装置で削刃を調節しても限界があって、そのうねりや凹凸に相対してうねりや凹凸をそのまま削り後に移して残してしまう。
【０００４】
特に雨水流路切掘の場合には、うねりや凹凸をそのまま削り残すと、そこに溜まって排水状態が悪くなり、大雨の場合には水溜まりとなり車の通行や歩行に支障が生じてしまう。
このようなために、うねりや凹凸の修正が必要であり、折角用いる段差除去装置の削刃による削取作業の効果を十分に発揮できず、歩車道不要部分削取施工上非常に不都合を感じていた。
【０００５】
【課題を解決するための手段】
本発明はこのような不都合を解消し、削り取った後のうねりや凹凸の修正をする必要が無いよう、レーザーによって削る位置を制御しながら一度で綺麗に削取作業が出来るようにした歩車道不要部分削取施工方法を提供せんとするものである。
段差除去装置の削刃取付部に設けたレーザー照準ガイドの中心点に除去部分の長手方向と平行に半導体レーザー照準器からレーザーを照射し、常にレーザーがレーザー照準ガイドの中心点に当っている状態を保ちながら段差除去装置を移動して削刃取付部に設けている削刃にて研削するようにしたものである。
【０００６】
【作用】
常にレーザーがレーザー照準ガイドの中心点に当っている状態を保ちながら段差除去装置を移動して削刃にて研削するが、段差除去装置の移動速度が遅いのでレーザーが中心点から外れても段差除去装置や削刃取付部の調節に時間的な余裕があるため、調節によって確実にレーザーに沿っての研削をすることが出来る。
そして調節が遅れた場合でも、段差除去装置をバックさせて再度研削し直せばよいため、うねりや凹凸を完全に無くして平坦な面として仕上げることが出来る。
又、既に除去部分が除去されている部分のうねりや凹凸の修正も前記と同じ手順で行なって平坦な面に仕上げることが出来る。
【０００７】
【実施の形態】
以下本発明の一実施例を図面について説明する。
本実施例は雨水流路切掘の場合について説明する。
準備作業
図中１は本体２と円錐状の削刃３ａの研削角度を調整可能に取り付けた削刃取付部３とからなる段差除去装置であって、雨水流路の切掘からなる除去部分４に削刃３ａの研削角度を合わせて車道５の路肩付近６上に移動可能に設置している。
【０００８】
７は目盛り付きの横軸８と縦軸９を十文字として中心点１０を設けたレーザー照準ガイドであって、前記削刃取付部３の前進方向の前面に設けている。
１１は公知の半導体レーザー照準器であって、除去部分４の最終切掘箇所より後方にレーザー１１ａが中心点１０と除去部分４の長手方向と平行状態で一致するよう路肩付近６状に設置している。
このように雨水流路の除去部分４を確認して削刃３ａの研削角度を合わせ、半導体レーザー照準器１１を所定位置に設置して準備作業が終わる。
【０００９】
研削作業
段差除去装置１を作動して削刃３ａを回転させると共に、半導体レーザー照準器１１からレーザー１１ａをレーザー照準ガイド７の中心点１０に照射して段差除去装置１を移動させる。
このようにして段差除去装置１を移動させ研削して行く途中でレーザー１１ａが中心点１０より外れると、外れた寸法をレーザー照準ガイド７の横軸８と縦軸９より読み取り、その読み取った寸法に合わせて段差除去装置１の本体２或は削刃取付部３を調節し、常にレーザー１１ａがレーザー照準ガイド７の中心点１０に当っている状態を保ちながら削刃３ａにて除去部分４を最後まで研削して行き研削作業が終わる。
【００１０】
残務整理作業
研削作業が終わると段差除去装置１の作動を停止し、半導体レーザー照準器１１からのレーザー１１ａの照射を止めてかたずけ全ての作業が終了する。
尚、本実施例は雨水流路切掘の場合について説明したが、その他の切削や既に切掘や切削が出来ている箇所の補修にも同じ手順で仕上げることが出来る。
【００１１】
常にレーザー１１ａがレーザー照準ガイド７の中心点１０に当っている状態を保ちながら段差除去装置１を移動して削刃３ａにて研削するが、段差除去装置１の移動速度が遅いのでレーザー１１ａが中心点１０から外れても段差除去装置１や削刃取付部３の調節に時間的な余裕があるため、調節によって確実にレーザー１１ａに沿っての研削をすることが出来る。  そして調節が遅れた場合でも、段差除去装置１をバックさせて再度研削し直せばよいため、うねりや凹凸を完全に無くして平坦な面として仕上げることが出来る。
【００１２】
【発明の効果】
上述のごとく本発明の請求項１に於いては、段差除去装置の最小限の移動で、うねりや凹凸を完全に無くして平坦な面として仕上げることが出来るため、大雨が降っても水溜まりが出来ないよう排水し、車の通行や歩行に支障を生じさせない。
以上の如く平坦な面に仕上げることが容易であり、且つ研削効率を良くして工期を短縮し、環境的にも悪影響を与えない経済的な削取施工が出来る等の特長があり産業利用上非常に優れた発明である。
【図面の簡単な説明】
【図１】本発明実施例の概要正面図である
【図２】図１のＡ−Ａ断面図である
【符号の説明】
１    段差除去装置
２    本体
３    削刃取付部分
３ａ  削刃
４    切掘部分
５    車道
６    路肩
７    レーザー照準ガイド
８    横軸
９    縦軸
１０    中心点
１１    半導体レーザー照準器
１１ａ  レーザー
【図１】
2004176518.tif 000003
【図２】
2004176518.tif 000004